(57)【要約】【課題】柱主筋の配筋を正確かつ簡易に行うことができ、また、柱主筋の継ぎ手が容易になり、柱主筋の配筋作業能率を向上させることができるＳＲＣ造柱の配筋用主筋保持具及び配筋方法を提供する。【解決手段】配筋用主筋保持具は、柱鉄骨の周囲に柱主筋を配設するためのＳＲＣ造柱の配筋用主筋保持具であって、主筋支持体と、該主筋支持体に前記柱主筋を連結するための連結手段と、前記柱鉄骨のフランジを把持して前記主筋支持体を前記柱鉄骨に着脱可能に取り付けるための把持手段と、を備え、ＳＲＣ造柱の配筋方法は、前記配筋用主筋保持具を前記柱鉄骨のフランジに取り付け、前記連結手段によって柱主筋を連結して該柱主筋を前記柱鉄骨に沿って保持するものである。【選択図】    図４
2004225437.tif 000002
【特許請求の範囲】
【請求項１】
柱鉄骨の周囲に柱主筋を配設するためのＳＲＣ造柱の配筋用主筋保持具であって、
主筋支持体と、該主筋支持体に前記柱主筋を連結するための連結手段と、前記柱鉄骨のフランジを把持して前記主筋支持体を前記柱鉄骨に着脱可能に取り付けるための把持手段と、を備えたことを特徴とするＳＲＣ造柱の配筋用主筋保持具。
【請求項２】
請求項１の配筋用主筋保持具を前記柱鉄骨のフランジに取り付け、前記連結手段によって柱主筋を連結して該柱主筋を前記柱鉄骨に沿って保持することを特徴とするＳＲＣ造柱の配筋方法。
【請求項３】
前記配筋用主筋保持具によって上側の前記柱主筋を保持した後、該柱主筋を降下させ、上側及び下側の前記柱主筋を継ぐことを特徴とする請求項２のＳＲＣ造柱の配筋方法。
【発明の詳細な説明】
【０００１】
【発明の属する技術分野】
本発明は、ＳＲＣ（鉄骨鉄筋コンクリート）造の柱主筋を配設するための配筋用主筋保持具及び配筋方法に関するものである。
【０００２】
【従来の技術】
一般に、ＳＲＣ造柱は、コンクリート内に柱鉄骨が配設され、柱鉄骨の周囲に柱主筋が配設され、更に、柱鉄骨及び柱主筋の周囲にフープ筋などの剪断補強筋が配設される構造となっている。
【０００３】
従来、このようなＳＲＣ造柱において柱主筋を配筋するための治具としては、前記柱鉄骨の下部に着脱自在に取り付けられる取付部と、該取付部を前記柱鉄骨に取付けたときに前記柱主筋を保持する保持部とからなる治具が提案され、また、かかる治具を用いて柱主筋等を柱鉄骨に先預けした後、該柱鉄骨を建て込み、しかる後に、前記柱主筋および剪断補強筋を定められた位置に配筋し、コンクリートを打設する施工方法が提案されていた（例えば、特許文献１参照。）。
【０００４】
かかる治具及び施工方法を採用すれば、柱鉄骨と柱主筋等とを別々に荷揚げする必要がなくなり、作業効率が大幅に向上する。
【０００５】
しかし、柱主筋を荷揚げしたのちに、該柱主筋を柱鉄骨の回りに配筋しなければならないので、配筋作業負担が十分に軽減されたとはいえなかった。特に、  柱主筋は太径で重量物であるのに加え、柱主筋を継ぐ位置は柱の曲げモーメントの反曲点である柱の中間位置であるので、柱の配筋作業は困難を伴うものである。
【０００６】
【特許文献１】
特開平６―１４６５８８号公報（全頁、全図）
【０００７】
【発明が解決しようとする課題】
本発明は、柱主筋の配筋を正確かつ簡易に行うことができ、また、柱主筋の継ぎ手が容易になり、柱主筋の配筋作業能率を向上させることができるＳＲＣ造柱の配筋用主筋保持具及び配筋方法を提供する。
【０００８】
【課題を解決するための手段】
本発明のＳＲＣ造柱の配筋用主筋保持具は、柱鉄骨の周囲に柱主筋を配設するためのＳＲＣ造柱の配筋用主筋保持具であって、主筋支持体と、該主筋支持体に前記柱主筋を連結するための連結手段と、前記柱鉄骨のフランジを把持して前記主筋支持体を前記柱鉄骨に着脱可能に取り付けるための把持手段と、を備えたことを特徴とする。
【０００９】
本発明のＳＲＣ造柱の配筋方法は、前記配筋用主筋保持具を前記柱鉄骨のフランジに取り付け、前記連結手段によって柱主筋を連結して該柱主筋を前記柱鉄骨に沿って保持することを特徴とする。
【００１０】
また、前記配筋用主筋保持具によって上側の前記柱主筋を保持した後、該柱主筋を降下させ、上側及び下側の前記柱主筋を継ぐのが望ましい。
【００１１】
【発明の実施の形態】
以下、本発明の実施の形態を、図面に基づいて説明する。
【００１２】
図１に示すように、ＳＲＣ造建物の配筋用主筋保持具Ａは、主筋支持バー１（主筋支持体の一例）１と、該主筋支持バー１に柱主筋Ｂを連結するための主筋クランプ（連結手段の一例）２と、柱鉄骨（Ｈ形鋼）ＣのフランジＣ１を把持するために相対向して配設される一対の鉄骨クランプ（把持手段の一例）３とを備えている。
【００１３】
鉄骨クランプ３は外側片３１及び内側片３２を備えた平面視Ｕ字状のクランプ本体３３を備え、該クランプ本体３３の外側片３１には雌ねじ部３４が形成され、該雌ねじ部３４には緊締ねじ３５が嵌合されている。主筋クランプ２も鉄骨クランプ３と同様にＵ字状のクランプ本体２１を備え、外側片２２には雌ねじ部２３が形成され、該雌ねじ部２３には緊締ねじ２４が嵌合されている。緊締ねじ２４の頭部には摘み２５が付けられている。
【００１４】
鉄骨クランプ３及び主筋クランプ２は枠形の取付具４によって主筋支持バー１に該主筋支持バー１に沿って移動可能に取り付けられ、フランジＣ１の幅寸法に応じて一対の鉄骨クランプ３の間隔を調整でき、また、柱主筋Ｂの配筋位置に応じて主筋クランプ２の位置調整ができるようになっている。取付具４は雌ねじ部４１を有し、該雌ねじ部４１には係止ねじ４２が嵌合されている。取付具４は主筋支持バー１に該主筋支持バー１の軸方向に移動自在に嵌め込まれ、係止ねじ４２の先端を主筋支持バー１に圧接させることにより鉄骨クランプ３は主筋支持バー１に任意位置で摩擦係止されるようになっている。係止ねじ４２の頭部には摘み４３が付けられている。
【００１５】
このように構成される配筋用主筋保持具ＡはＳＲＣ造建物の柱の上側及び下側に配設される柱主筋Ｂを継ぐのに用いられる。
【００１６】
なお、ＳＲＣ造建物は、一定間隔に配置された複数の鉄骨柱Ｃの間に鉄骨梁を架設して構成され、鉄骨部材の組立が完了した後に配筋及び型枠工事が行われ、コンクリートが打設されて築造されるものである。
【００１７】
次に、ＳＲＣ造建物の柱主筋Ｂの配筋方法について、図２乃至図５を基づいて説明する。
【００１８】
まず、配筋用主筋保持具Ａを、図２のように柱鉄骨Ｃの中間部に取り付ける。配筋用主筋保持具Ａの取り付け作業は、一対の鉄骨クランプ３の距離を柱鉄骨ＣのフランジＣ１の幅寸法よりも大きくした状態で配筋用主筋保持具ＡをフランジＣ１に近接させた後、鉄骨クランプ３の移動により鉄骨クランプ３内にフランジＣ１の端部を位置させ、緊締ねじ３５でフランジＣ１の端部を緊締することにより行われる。
【００１９】
次に、図３のように配筋用主筋保持具Ａの主筋クランプ２で上側柱主筋Ｂの下端部を把持することにより、上側柱主筋Ｂを柱鉄骨Ｃに沿った配筋位置に保持する。主筋クランプ２による上側柱主筋Ｂの把持作業は、主筋クランプ２内に上側柱主筋Ｂを挿入した後に緊締ねじ２４で緊締して行われる。また、主筋クランプ２で上側柱主筋Ｂの下端部を把持する前に、該主筋クランプ２を主筋支持バー１に沿って柱主筋Ｂの配筋位置まで移動させて位置調整を行い、取付具４の係止ねじ４２で主筋支持バー１に係止する。
【００２０】
次に、下側柱主筋Ｂの配筋を行う。一階部分の柱の配筋では、図４のように下側柱主筋Ｂを基礎から立ち上げる。
【００２１】
次に、図５のように配筋用主筋保持具Ａの主筋クランプ２の緊締ねじ２４を緩めて上側柱主筋Ｂを矢印のように下方に僅かに降下させ、上側柱主筋Ｂの下端部と下側柱主筋Ｂの上端部とを継ぎ手位置に位置させて継ぎ手作業を行う。
【００２２】
このように、配筋用主筋保持具Ａを用いることにより、上側柱主筋Ｂを配筋位置で位置決めでき、また、作業者の手元に位置させることができるので、柱主筋Ｂの継ぎ手作業が容易になる。
【００２３】
また、配筋用主筋保持具Ａは、図６のようにフープ筋Ｄを保持するのに用いられる。すなわち、柱主筋Ｂの配筋を行う前に、フープ筋Ｄを平面視で該フープ筋Ｄの配筋位置に位置するように配筋用主筋保持具Ａの上に重ねて載置し、その後上述のように柱主筋Ｂの配筋作業を行う。また、配筋用主筋保持具Ａは、図７のような断面十字状の柱鉄骨Ｃにも取付可能である。
【００２４】
更に、配筋用主筋保持具Ａは上側及び下側の柱主筋Ｂを継ぐのに用いられる他に、下階（又は上階）の柱主筋Ｂが上階（又は下階）と連続しない場合、すなわち、柱主筋Ｂが階の中間で止まる場合には、その柱主筋Ｂの下端部を位置決めするのに用いられる。これにより、柱主筋Ｂを設計配筋位置に確実に位置させることができ、柱主筋Ｂのかぶりを十分に確保できる。
【００２５】
なお、配筋用主筋保持具Ａは、柱主筋Ｂの継ぎ手作業や位置決め作業が終了した後、鉄筋と共にコンクリート中に埋め込んでも良い。
【００２６】
図８は配筋用主筋保持具Ａの他の実施形態を示し、主筋クランプ２のクランプ本体２１ａは枠状に形成され、柱主筋Ｂは上方からクランプ本体２１ａ内に挿入されるようになっている。なお、その他の構成は上述の実施形態の構成と同じであり、図面に上述の実施形態の構成と同符号を付す。
【００２７】
柱主筋Ｂは主筋クランプ２のクランプ本体２１ａに縦方向から挿入されて該主筋クランプ２に緊締される。上側及び下側の柱主筋Ｂを継ぐ場合には、柱主筋Ｂを主筋クランプ２から抜くようにする。なお、配筋用主筋保持具Ａをコンクリート中に埋設する場合には、柱主筋Ｂを主筋クランプ２から抜くことなく下方にずらせて継ぐようにすれば良い。
【００２８】
【発明の効果】
本発明のＳＲＣ造柱の配筋用主筋保持具及び配筋方法によれば、前記柱鉄骨のフランジに取り付け、前記配筋用主筋保持具の前記連結手段によって柱主筋を連結して該柱主筋を保持できるので、上側柱主筋を配筋位置で位置決めでき、また、作業者の手元に位置させることができるので、柱主筋の継ぎ手作業が容易になる。特に、柱主筋は太径で重量があるので、組立が面倒であり、また、継ぎ手は柱の曲げモーメントの反曲点である柱の中間に位置し、継ぎ手作業には困難を伴うが、配筋用主筋保持具を用いることにより、施工現場での柱主筋の組立及び継ぎ手作業が容易になる。
【００２９】
また、柱脚よりも柱頭の鉄筋が多い場合、下階よりも上階に多くの柱主筋を配筋する場合、下階の柱主筋が上階に連続しない場合、柱脚のみに柱主筋を配筋する場合等においては、配筋用主筋保持具を用いることにより、柱主筋の自由端側の位置決めを確実に行うことができ、柱主筋のかぶりを十分に確保でき、台直し等の無理な作業をしなくて済む。
【００３０】
また、継ぎ手位置が揃わないように、継ぎ手位置を上下にずらせる場合にも、配筋用主筋保持具を用いることにより、かかる作業を容易に行うことができる。
【図面の簡単な説明】
【図１】本発明の実施形態の配筋用主筋保持具を示す斜視図である。
【図２】同配筋用主筋保持具を用いた配筋方法を示す斜視図である。
【図３】同配筋用主筋保持具を用いた配筋方法を示す斜視図である。
【図４】同配筋用主筋保持具を用いた配筋方法を示す斜視図である。
【図５】同配筋用主筋保持具を用いた配筋方法を示す斜視図である。
【図６】同配筋用主筋保持具の使用状態を示す斜視図である。
【図７】同配筋用主筋保持具の使用状態を示す平面図である。
【図８】本発明の他の実施形態の配筋用主筋保持具を示す斜視図である。
【符号の説明】
Ａ    配筋用主筋保持具
Ｂ    柱鉄骨
Ｃ    柱主筋
Ｃ１  フランジ
１    主筋支持バー１（主筋支持体）
２    主筋クランプ（連結手段）
３    鉄骨クランプ（把持手段）
【図１】
2004225437.tif 000003
【図２】
2004225437.tif 000004
【図３】
2004225437.tif 000005
【図４】
2004225437.tif 000006
【図５】
2004225437.tif 000007
【図６】
2004225437.tif 000008
【図７】
2004225437.tif 000009
【図８】
2004225437.tif 000010